Podtech/llm-jp-corpus-v4-ja_patent huggingface dataset:
(57)【要約】【課題】眼科治療に置いて点眼は重要な役割を持つ。しかし、症状によっては、点眼薬も多いうえ、各薬の点眼間隔も５分を要するなど複雑なため、把握しにくく、うっかりさし間違えたり、さし忘れることも多かった。老人の場合などは特に、適切な点眼は困難になっていた。【解決のための手段】本発明は、複雑な点眼スケジュールを、簡単に、正確に実行するために、点眼トレイに点眼スケジュールを表示できるようにしたものである。各目薬は、それぞれキャップの色が異なっており、この各目薬のキャップの色を表示したスケジュール表を点眼トレイにセットする。使用者は、最初にスケジュールに示される色に合わせて、各目薬を置き、点眼の時間が来れば、スケジュールに表示されている通りに点眼し、さし終わった目薬は矢印に従ってキャップと同じ色の、次のコマに置く。これによって、間違えたり、さし忘れたりすることなく、複雑な点眼スケジュールを実行することができる。【選択図】図１
2008272415.tif 000002
【特許請求の範囲】
【請求項１】
点眼スケジュールを表示できる点眼用トレイ。
【請求項２】
点眼スケジュールに合わせて、目薬を置くための仕切を設けた点眼用トレイ。
【請求項３】
点眼スケジュールに合わせて、目薬を置くための容器を設けた点眼用トレイ。
【発明の詳細な説明】
【技術分野】
【０００１】  本発明は、眼薬をスケジュールに添って、簡単に、正確に点眼できる、点眼用トレイに関する。
【背景技術】
【０００２】  眼科治療に置いて点眼は重要な役割を持つ。しかし、症状によっては目薬の種類が多いうえ、各薬の点眼の間隔も５分を要するなど複雑なため、把握しにくく、うっかりさし間違えることも多かった。老人の場合などは、適切な点眼はいっそう困難であった。【０００３】  薬の服用であれば、その都度消費するので順番に置いたり、カレンダに貼り付けたりすればよいが、目薬は同じ薬瓶を何回も使うため、適切な管理が困難だった。
【発明の開示】
【発明が解決しようとする課題】
【０００４】  本発明は、上記のような不便を解消するためのものである。
【課題を解決する手段】
【０００５】  本発明は、上記目的のために、点眼用トレイ１に点眼スケジュール３を表示できるようにしたものである。
【０００６】  ある患者の点眼スケジュールを整理すると、図３のようになる。各目薬４，５，６，７は、それぞれキャップの色が異なっており、スケジュール上の各目薬を表す色４−ｃ、５−ｃ、６−ｃ、７−ｃはそれを反映したものである。
【０００７】  使用者は、最初にスケジュールに示される色に合わせて、各目薬を置き、点眼の時間が来れば、スケジュールに表示されている通りに点眼し、さし終わった目薬は矢印に従って、キャップと同じ色の、次のコマに置く。
【０００８】  さすべき目薬の種類や点眼のタイミングは、患者毎に、あるいは治療の進行に応じて変化するため、その都度新しいスケジュールに差し替えて使用する。目薬の種類や、点眼回数などが増えれば、トレイのサイズや仕切の数を増やすことで対応する。
【発明の効果】
【０００９】  使用者は薬と、さすべき眼と、一日の点眼タイミングを簡単に把握することができる。
【００１０】  医療者側は、これまで複雑だった点眼についての説明が楽になる。
【０００１１】  スケジュール表に添って点眼するだけなので、複雑な一連の点眼が簡単に、しかも正確に行える。
【００１２】  さし終わった目薬は次のコマに移動するので、さした薬とまださしてない薬とを混同することがない。従って、さし漏れたり、重ねてさしたりする間違いが起こらない。
【００１３】  看護する人が交代する場合でも、引き継ぎが容易で、適切に点眼できる。
【発明を実施するための最良の形態】
【００１４】  本発明の最良の形態は、透明なトレイ１に設けたスリット８に点眼スケジュール３を挿入して表示できるようにし、トレイ表面に、点眼スケジュールに合わせて目薬を置く事のできる仕切２を設けたものである。
【実施例１】
【００１５】  点眼スケジュールを印刷あるいは貼り付けた点眼用トレイ。
【実施例２】
【００１６】目薬を置く容器を、表示されたスケジュール上に固定する形式の点眼用トレイ。
【実施例３】
【００１７】  トレイに表示されたスケジュールに合わせて、自由にセットできる形式の仕切を設けた点眼用トレイ。
【実施例４】
【００１８】  スケジュールを表示した平面に対し、目薬が入るべき場所にくぼみを設けた点眼用トレイ。
【実施例５】
【００１９】  トレイ自体を、点眼スケジュールを表示できる液晶パネルとし、スケジュールに合わせて音声案内をおこなったり、点滅表示で次にさすべき目薬を案内する点眼トレイ。
【図面の簡単な説明】
【００２０】
【図１】透明なトレイの表面にスケジュールに合わせた仕切を設け、点眼スケジュールをトレイにセットし、目薬をセットした状態を表す平面図である。
【図２】図１のａ−ａ線断面を表す側面図である。
【図３】図１の状態からスケジュールを抜き取り、透明なトレイとその表面に設けた仕切を表す平面図である。
【図４】図３のａ−ａ線断面を表す側面図である。
【図５】トレイに設けた仕切に合わせた点眼スケジュールである。
【符合の説明】
【００２１】１  トレイ本体
２  トレイ表面に設けた仕切
３  点眼スケジュール
４  目薬１
４−ｃ  目薬１のキャップの色
５  目薬２
５−ｃ  目薬２のキャップの色
６  目薬３
６−ｃ  目薬３のキャップの色
７  目薬４
７−ｃ  目薬４のキャップの色
８  トレイ本体に設けたスケジュール収納スリット
【図１】
2008272415.tif 000003
【図２】
2008272415.tif 000004
【図３】
2008272415.tif 000005
【図４】
2008272415.tif 000006
【図５】
2008272415.tif 000007
(57)【要約】【課題】家庭などで、手軽に身長測定と記録ができる、磁石付き身長計を提供する。【解決手段】柱、壁に貼り付けるだけで身長が測れて、記録できる、磁石付き身長計である【選択図】図１
2008272419.tif 000002
【特許請求の範囲】
【請求項１】
家庭で気軽に身長が測れて記録できる磁石付き身長計である。
【発明の詳細な説明】
【技術分野】
【０００１】家庭で子供等の身長を計り記録する磁石付き身長計に関するものである。
【背景技術】
【０００２】各家庭において子供等の身長を測るのに柱等、に傷をつけて記録していた。
【発明の開示】
【発明が解決しようとする課題】
【０００３】そのために柱に傷が付き見た目が悪いし正確に身長を測る事が出来なかった
本発明は、以上の問題点を解決したものである。
【課題を解決するため手段】
【０００４】柱、壁に貼り付けるだけで身長が測れて、記録できる、磁石付き身長計である
【発明の効果】
【０００５】柱等に傷をつけることなく、身長測定と、記録ができさらに、インテリアにもなる。
【発明を実施するための最良の形態】
【０００６】以下、本発明の実施の形態について説明する。
１．測定盤を鉄製とし３．測定器の根元部を磁石にすることにより３．測定器をどの位置にでも移動可能とした又測定盤の空き部は、水成ペンで記録が可能である  本発明は、以上の構成からなる、磁石付き身長計である。
以下使用法について説明する。
１．測定盤を室内の床に直角になっている柱か壁に貼り付１．測定盤に３．測定器を付け身長を測定する測定した記録を１．測定盤の左右の空き部にかきこめる。
【図面の簡単な説明】
【０００７】
【図１】    本発明の正面図
【図２】    本発明の側面図
【図３】    本発明の裏面図
【図４】    本発明測定器拡大図
【符号の説明】
【０００８】      １は測定盤
２は目盛
３は測定器
４は接着部
５は壁掛け穴
【図１】
2008272419.tif 000003
【図２】
2008272419.tif 000004
【図３】
2008272419.tif 000005
【図４】
2008272419.tif 000006
(57)【要約】【課題】  従来磁力を用いて、その反発力や吸引力を利用し磁石、鉄、鋼類を空中に静止させる事は安定性の面で困難を要した。【解決手段】  アクリル管等の周りにリング状に並べた磁石又は電磁石を、管の上部と下部に間隔を開けて設置する事で、その間にある管内で磁石、鉄、鋼類を空中に静止させる事が容易となった。【選択図】図１
2008272411.tif 000002
【特許請求の範囲】
【請求項１】
透明アクリル管等の周りに、リング状に並べた２個以上の同じ磁石又は電磁石（以下リング状磁石類）を管の上部と下部に設置し、２個のリング状磁石類の間の管内に別の磁石、鉄、鋼等を配置したもの。
【発明の詳細な説明】
【技術分野】
【０００１】  本発明は、２組のリング状磁石類を上下に配置し、その間に存在する磁石、鉄、鋼類を空中に静止させる方法。
【背景の技術】
【０００２】  従来の磁石類を用いて空中に物体を静止させる方法は、磁石の反発力、吸引力をコントロールする点で困難を要した。
【発明の開示】
【発明の効果】
【０００３】  本発明は工業用品、玩具用品、理科学校教材等への利用が考えられる。
【発明を実施するための最良の形態】
【０００４】  本発明は、２組のリング状磁石類の特性を用いる事によって、従来の磁力による空中に静止させる不安定さを解決した。それを図面にて説明すると、２個のリング磁石（１）、（２）を透明アクリル管（３）の上と下に異なる極が向かい合う様に設置する。２個のリング磁石の間隔を調整しながら、その間の管内に円板磁石（４）を置くと空中で静止状態をとる。但し、横方向への反発が在るのでアクリル管内の一部と接している。
磁石以外の鉄、鋼類に於いても磁力を調整すれば同様の結果を得る。
【図面の簡単な説明】
【０００５】
【図１】本発明の斜視図
【図２】本発明の断面図
【符号の説明】
【０００６】（１）、（２）はリング磁石
（３）は透明アクリル管
（４）は円板磁石
【図１】
2008272411.tif 000003
【図２】
2008272411.tif 000004
(57)【要約】      （修正有）【課題】パスケースに非接触ＩＣパスカードを入れた場合、鞄や洋服の上からでもスキマーによりスキミングされてしまう可能性があり、非接触ＩＣパスカードの中のデータがスキミングから守れないという不都合ある。また裏と表に２枚の非接触カードを入れた場合、干渉しあい正確に読み取りができなくなる問題もある。【解決手段】パスケースの指で非接触ＩＣパスカード２をスライドする面の反対側の面の裏側に厚さ３５ミクロンの電解銅箔あるいはそれに相当するシールド効果を有するシールド材６を非接触ＩＣパスカードと同一の大きさか、それ以上の大きさでシールド材を入れる、またシールド材料から非接触カードがはみ出さないように設置する。【選択図】図５
2008272412.tif 000002
【特許請求の範囲】
【請求項１】
１枚あるいは２枚の非接触ＩＣカードが入るスライド式パスケースの非接触ＩＣカードが入る袋状部分の指でスライドする側の反対側面の裏側２ｍｍ以内に厚み３５ミクロンの電解銅箔あるいはそれに相当するシールド能力をもつシールド材料を非接触カードと同一の大きさかそれ以上の大きさで非接触カードの面に重なるように設置する。このとき重ねられた厚み３５ミクロンの電解銅箔あるいはそれに相当するシールド能力をもつシールド材料は非接触ＩＣカードが入るスライド式パスケースの非接触ＩＣカードが入る袋状部分の遊びの中で多少動いてもはみ出ない大きさにして設置する。
【発明の詳細な説明】
【技術分野】
【０００１】  本発明は従来のスライド式パスケースにスキミング防止機能を付加することによりスイカ、あるいはパスモ、イコカ等の非接触ＩＣカードの中に記録されている情報をスミングより保護するものである。
【背景技術】
【０００２】
【特許文献１】実用新案出願２００５−１０３２１  特許公開２００６−２８８９８９などの背景技術はあったが指で半分程度スライドさせるだけで改札を通ることができるという使勝手のよさがなかった。
【発明の開示】
【発明が解決しようとする課題】
【０００３】  通勤通学用などのパスケースに入れるパスは現在スイカやパスモなど非接触ＩＣカードが支流になっており便利さは増している反面、パス自体から移動データ及び買い物情報などがスキマーにより簡単にスキミングされるようになってしまった。
このことによりストカーに行動パターンを読まれ他者に悪用される可能性が増えてきた。この問題を解決するためにスライド式パスケースの非接触ＩＣカードが入る袋状部分の指でスライドする側の反対側面の裏側２ｍｍ以内に厚み３５ミクロンの電解銅箔あるいはそれに相当するシールド効果を有するシールド材をいれることによりスキミングできなくすることができる。
【課題を解決するための手段】
【０００４】  この課題を解決するために請求項１の発明は、パスケースの指で非接触ＩＣカードのパスをスライドする面の反対側の面の裏側２ｍｍ以内に厚み３５ミクロンの電解銅箔あるいはそれに相当するシールド効果を有するシールド材を非接触カードと同一の大きさか、それ以上の大きさでシールド材を入れる、またシールド材料から非接触カードがはみ出さないように設置する。
ことによりスキマーより発射された電波を吸収しスキマーにカード情報を伝えることを防止することができる。このため非接触カードに記録されている情報が守られる。
【発明の効果】
【０００５】本発明により非接触ＩＣカード（スイカ、あるいはパスモ、イコカ）などの個人情報が保護され安全にかつ指で半分程度スライドするだけで簡単に運用できるようになった。
スイカは東日本旅客鉄道、パスモは株式会社パスモ、イコカは西日本旅客鉄道の登録商標です。【０００６】  本発明によりパスケースから指で半分程度非接触ＩＣカード（スイカ、パスモ、イコカ等）を半分程度スライドさせることで改札及び買い物ができ、指で元の位置に戻すことによりスキマーに対して安全に保管することができるようになった。【０００７】  本発明により２種類の非接触ＩＣカードを本パスケースに入れて使用することができるようになった。
【発明を実施するための最良の形態】
【０００８】  ２枚の非接触ＩＣカードが入るスライド式パスケースの非接触カードが入る袋状部分の指でスライドする側の反対側面の裏側２ｍｍ以内に厚み３５ミクロンの電解銅箔あるいはそれに相当するシールド能力をもつシールド材料を非接触カードと同一の大きさかそれ以上の大きさで非接触カードの面に重なるように設置する。このとき重ねられた厚み３５ミクロンの電解銅箔あるいはそれに相当するシールド能力をもつシールド材料から非接触カードがはみ出てはならない。
【産業上の利用可能性】
【０００９】  本発明に係わるパスケースは、工業的に量産することが可能であるため、産業上の利用可能性を有する。
【図面の簡単な説明】
【００１０】
【図１】はスライドする面を両面に設けたことを特徴とする。スキミング防止機能付パスケースの正面図である。
【図２】はスライドする面を両面に設けたことを特徴とする。スキミング防止機能付パスケースの正面図で、非接触ＩＣカード（スイカ、パスモ、イコカ等）を半分程度スライドさせることで改札及び買い物ができ状態を表している。
【図３】はスライドする面を両面に設けたことを特徴とする。スキミング防止機能付パスケースの正面図である。また両面に非接触ＩＣカードを入れることができることを表した図である。
【図４】はスライドする面を両面に設けたことを特徴とする。スキミング防止機能つき非接触ＩＣカード用スライドパスケースの斜視図である。３．４両側の面からスキミング防止機能が有効であることを表している。
【図５】は、スライドする面を両面に設けたことを特徴とする。スキミング防止機能つき非接触ＩＣカード用スライドパスケースを下より見た断面図である。
【図６】は、スライドする面を両面に設けたことを特徴とする。スキミング防止機能つき非接触ＩＣカード用スライドパスケースの斜視分解図である。同図に示すようにスライドする穴の開いている面からみて反対側の面の裏側に厚み３５ミクロンの電解銅箔あるいはそれに相当するシールド効果を有するシールド材をＩＣ非接触カードの面に重なるように設置する。このとき重ねられた厚み３５ミクロンの電解銅箔あるいはそれに相当するシールド能力をもつシールド材料からＩＣ非接触カードがはみ出てはならない。
【符号の説明】
【００１１】１．  スキミング防止機能つき非接触ＩＣカード用スライドパスケース
２．  非接触ＩＣパスカード
３．  読み取り装置の方向
４．  読み取り装置の方向
５．  スキミング防止機能つき非接触ＩＣカード用スライドパスケースの素材で樹脂及び皮でできている。
６．  厚み３５ミクロンの電解銅箔あるいはそれに相当するシールド効果を有するシールド材
７．  指でカードをスライドさせる穴
【図１】
2008272412.tif 000003
【図２】
2008272412.tif 000004
【図３】
2008272412.tif 000005
【図４】
2008272412.tif 000006
【図５】
2008272412.tif 000007
【図６】
2008272412.tif 000008
(57)【要約】【課題】本発明は、傘に買物袋等を吊るす手段を提供することにある。【解決手段】ホルダー本体（１）に、底面密着部（３）と繋止部（２）を設ける。あるいは、ホルダー本体（１）の、この底面密着部（３）に粘着材を塗布した、シールカバー（４）を設ける。【選択図】図１
2008272402.tif 000002
【特許請求の範囲】
【請求項１】
ホルダー本体（１）に、底面密着部（３）と繋止部（２）を設けたことを特徴とする、バックホルダー。
【請求項２】
ホルダー本体（１）に、底面密着部（３）を設け、この底面密着部に粘着材を塗布した、シールカバー（４）を設けたことを特徴とする、バッグホルダー。
【発明の詳細な説明】
【技術分野】
【０００１】  本発明は、傘の柄等を利用して、買い物袋等を吊るしておける、シンプルで便利な補助具に関するものである。
【背景技術】
【０００２】  従来、傘は雨具として使用するが、買い物帰りに雨が上がったりすると、傘は単なる荷物になってしまう。
【発明の開示】
【発明が解決しようとする課題】
【０００３】  このような事はよくあるが、とくにスーパー等で買い物をすると、袋を下げる事になり、傘も荷物として持たねばならないので大変である。また雨で差してきた傘は、買い物でなくても、例えば各種コンパや集会、宴会等で店先で置く場合に、帰りには他人の傘と間違える等いろいろあった。
これら問題点を改善するために本発明はなされたのである。
【課題を解決するための手段】
【０００４】  これらの課題を解決する手段として、デザインされたホルダー本体（１）に、傘等の柄にフィットさせた、底面密着部（３）と、同じく傘の柄等に、しっかりと係止し固定出来る、繋止部（２）を設ける。また、このホルダー本体（１）の底面密着部に粘着材を塗布した、シールカバー（４）を設ける。
本発明は以上のような構成よりなる、バックホルダーである。
【発明の効果】
【０００５】  傘の柄に買物を詰めた、買物袋を吊るす事ができるので、従来雨上がりの場合は、荷物扱いになっていた雨傘を、買物袋を運ぶ道具として便利に利用出来る。
また、傘差して来て宴会などに参加、帰りに多くの置かれた傘の中で本発明品が装着されていると、探すのに大変便利である。また、極めてシンプルであるから、ローコストに生産でき、ノベルティ品として宣伝広告に活躍出来る。
【発明を実施するための最良の形態】
【０００６】  洗練されたデサインのホルダー本体（１）に、傘の柄等にぴったり形状に合わせた底面密着部（３）と繋止部（２）を設ける。また、ホルダー本体（１）の、この底面密着部（３）に粘着材を塗布した、シールカバー（４）を設ける。
本発明は以上のような構成であり、これを使用せんとするときには、【０００７】  傘の柄に繋止部（２）を填め込んで装着するだけで良い。またはシールカバー付のものは、シールカバー（４）を剥がして、粘着材で傘の柄に貼付けて装着する。
【図面の簡単な説明】
【０００８】
【図１】  本発明の傘の柄に装着した斜視図である。
【図２】  本発明の傘の柄に貼付けた、シールカバータイプの斜視図である。
【図３】  本考案の実施図である。
【符号の説明】
【０００９】  １  ホルダー本体
２  繋止部
３  底面密着部
４  シールカバー
【図１】
2008272402.tif 000003
【図２】
2008272402.tif 000004
【図３】
2008272402.tif 000005
(57)【要約】【課題】食器洗浄機で小さくて軽いものを洗う場合に水圧で飛ばされないために、小物を固定するためのかごを提供します。【解決手段】大きめの網目の箱型のかごの中にいろいろな長さの突起棒２を付けてそこに洗う物をうまく引っ掛けて置き、ふた３をして固定するので複雑なクッキー型や哺乳瓶のパッキンの部分などなかなかスポンジでは洗えないものを食器洗浄機の高温かつ強い水圧で油汚れもスッキリ洗えるようになります。【選択図】図４
2008272403.tif 000002
【特許請求の範囲】
【請求項１】
複雑な溝のクッキー型や哺乳瓶のパッキンの部分などスポンジではなかなか洗い難いものは食器洗浄機で細々した隙間まできれいに洗いたいのですが、そのように小さくて軽いものは水圧で飛ばされて下に落ちてしまったり、裏返ってしまって洗うことが出来ません。そこで、食器洗浄機の水圧で飛ばされないように固定してすっきりきれいに洗うための箱型のかごで、かごの中にいろいろな長さの突起棒が付いていてそこにうまく小さくて軽い小物を引っ掛けて固定するというものです。
【発明の詳細な説明】
【技術分野】
【０００１】本発明は小さくて軽いものを食器洗浄機で洗うと水圧で飛ばされて下に落ちてしまったり、裏返ってしまったりして洗うことが出来ません。このことを解決するために内側に突起棒のついた籠の中で小物を固定して洗えるようにしようとするものである。
【背景技術】
【０００２】従来は小さくて瀬戸物などでできているものは食器洗浄機で洗えたのですがプラスチックなどでできた小物は軽いので水圧で飛ばされてしまうため食器洗浄機で洗うことはできなかった。
【発明の開示】
【発明が解決しようとする課題】
【０００３】お弁当に持っていくマヨネーズ入れ、おにぎりを作るための動物の形の型やクッキーのいろいろな形の型、小さなタッパーのふたなどを食器洗浄機で洗うと小さくて軽いので水圧で吹き飛ばされてしまい裏返ってしまったり食器洗浄機の下の部分に落ちてしまったりして洗うことが出来なかった。
【課題を解決するための手段】
【０００４】大きめの網目で出来た箱型のかご１の中にいろいろな長さの突起棒２を付け、その突起棒２に洗うものをうまく絡ませて置き、かごのふた３を閉めて小さなものを固定して洗う。
【発明の効果】
【０００５】かごの中に入れて固定してあるので小さくて軽いものが水圧で飛ばされずに洗うことができるようになります。小さなタッパーのふたの溝の部分や絵の出来るクッキー型の細かい溝などに付いたバターや油汚れを食器洗浄機で洗うことができることによって隅々までピカピカに洗うことができます。
【図面の簡単な説明】
【０００６】
【図１】本発明のふたを開けた状態の立体図である。
【図２】本発明の断面図である。
【図３】本発明の立体図である。
【図４】本発明の使用例の図である。
【符号の説明】
【０００７】１    かご本体
２    突起棒
３    ふた
４    おにぎりの型
５    マヨネーズ入れ
６    とめ具
【図１】
2008272403.tif 000003
【図２】
2008272403.tif 000004
【図３】
2008272403.tif 000005
【手続補正書】
【提出日】平成19年7月6日(2007.7.6)
【手続補正１】
【補正対象書類名】図面
【補正対象項目名】全図
【補正方法】変更
【補正の内容】
【図１】
2008272403.tif 000006
【図２】
2008272403.tif 000007
【図３】
2008272403.tif 000008
【図４】
2008272403.tif 000009
(57)【要約】【課題】  ゆで卵全体を二等分するだけでなく，黄身の部分も正確に二等分すること。【解決手段】  卵型の受け皿部を設け，この受け皿の長軸上に１本のみ切断線材を配する。  ゆで卵を受け皿に置いた際に，ゆで卵の重心がゆで卵の長軸上に，自重によって配置するように，受け皿の表面は滑らかで，摩擦が小さいものとする。【選択図】図１
2008272401.tif 000002
【特許請求の範囲】
【請求項１】
基台体にゆで卵を支承可能な卵型の受皿部を設けると共に該基台体に線材を中央に１本のみ配してなる切枠体を回動自在に設け、該受皿部に線材を挿入可能な切溝部を設けてなることを特徴とするゆで卵切り器。
【発明の詳細な説明】
【技術分野】
【０００１】  本発明は、ゆで卵の黄身をも真二つに切り分けるゆで卵切り器に関する。
【背景技術】
【０００２】  ゆで卵を二等分する際に，黄身の部分を真に二等分するゆで卵切り器がなかった。
【発明の開示】
【発明が解決しようとする課題】
【０００３】  ゆで卵全体を二等分するだけでなく，黄身の部分も正確に二等分すること。
【課題を解決するための手段】
【０００４】  卵型の受け皿部を設け，この受け皿の長軸上に１本のみ切断線材を配する。【０００５】  ゆで卵を受け皿に置いた際に，ゆで卵の重心がゆで卵の長軸上に，自重によって配置するように，受け皿の表面は滑らかで，摩擦が小さいものとする。
【発明の効果】
【０００６】  ゆで卵全体を二等分するだけでなく，黄身の部分をも二等分する切断を簡単に行う。
ゆで卵を受け皿部においた際，若干ゆするなどすることで，ゆで卵の重心は容易にゆで卵の長軸上に配置するため，簡単に上記を実現することができる。
【図面の簡単な説明】
【０００７】
【図１】  本発明の外観図
【図２】  本発明の外観図（横面）
【図３】  使用例
【図１】
2008272401.tif 000003
【図２】
2008272401.tif 000004
【図３】
2008272401.tif 000005
(57)【要約】【課題】  ゆで卵の殻を取り去る時、容易に取り除くためには、多少の熟練が必要で、これを誰にでも容易に取り去ることを課題とした。【解決手段】  卵の殻を割り除くためにステンレスの薄板で波形の刃を下端の内側に向けて付けた円筒状の本体をつくり、ゆで卵を中に入れて刃に接する位置に保持して、リング状の本体の指当てを指で締めれば、殻は容易に割れて取り去ることができる。【選択図】図１
2008272407.tif 000002
【特許請求の範囲】
【請求項１】
本体（１）を弾性のあるステンレスの薄い鋼板で卵（２）の外形に余裕を持って接するように輪状に形成し、その両端を指で挟持すると輪の緊縮が自在となるように本体（１）の端末を外側に曲げてこれを指当て部（５）として使い、さらに本体（１）の下端に卵の殻（４）を割るための波形の刄（３）を５枚造り、それぞれその先端を卵の殻（４）の外側に直角に接するように内側に曲げ、本体（１）の端末の指当て部（５）を挟めば本体下端の刃（３）が、順次殻を割ることで本発明は成る。  これを用いてゆで卵（２）の殻（４）を割るときは、卵を縦に持ち、殻（４）が波形の刄（３）に接する位置まで卵を入れて、指当て部（５）をかるく摘まむと、刄（３）の先端が卵（２）の殻（４）の全周に順次接して割り、割れた卵（２）の殻（４）は本体（１）内に挟持したまま残るので、挟持部の指をゆるめてこれを廃棄すれば、容易にその目的を果たすことができることとなり、これによって容易に、きれいにゆで卵の殻（４）を割り取ることができることとしたゆで卵の殻割りカッター。
【発明の詳細な説明】
【発明の詳細な説明】
【技術分野】
【０００１】  本発明はゆで卵の殻を取り去るとき、誰でも失敗することなく容易に取り去ることができることができることを目的とするものである。
【背景技術】
【０００２】  本発明は従来スプーン等を使って卵の殻を割ったり、指先で堅い物に当て割り、さらに殻をむいて食べていたが、ともすると失敗して粗相をすることがあり、このような失敗をすることなく、誰でもも容易に殻を割り、取り去ることができるようにしたものである。
【発明が解決しようとする課題】
【０００３】  従来の指先を使ってゆで卵の殻を割る作業は、不慣れな者は失敗しやすいという難点があり、ある程度の熟練を要するという問題点があった。
【０００４】  本発明はこのような作業が非熟練な者にはやりにくいものであり、失敗して粗相をしやすいものである事に着目して、このような不具合な作業を、不慣れな者にも容易に作業が行えるように、構造も単純で、食卓に置いても不似合いにならない形状に配慮した。
【発明を実施するための最良の形態】  本発明の実施の形態を、添付の図面を参照して説明すると、本体１を弾性のあるステンレス製の薄板で縦５センチ位の円筒型の本体（１）を作り、下端を連続した波形にしてこれを内側に折り、これを卵の殻（４｝を割るときの刄（３）は卵の殻（４）に接する角度を直角近くにしておけば、殻を割る時に本体（１）の中に手でゆで卵をその殻（４）が刄（３）に接する位置まで入れ、指当て部（５）を挟めば、刄（３）が殻（４）の全周を圧し破って、その上三分の一程から取り去ることができるものとした。
【図面の簡単な説明】
【図１】は立体の斜視図、
【図２】は平面図、
【図３】は側面図、
【符号の説明】
１は本体
２はゆで卵
３刃
４殻
５指当て部
【図１】
2008272407.tif 000003
【図２】
2008272407.tif 000004
【図３】
2008272407.tif 000005
(57)【要約】【課題】  従来の人工着爪の施術工程は、自爪の根元部分までアクリル製の着爪溶剤を使用することから自爪の成長と共に浮きやすく折れやすいという問題があった。【解決手段】  従来の工程で行う第３段階のアクリル製の着爪の付着に変えてウレタン製のジェル溶剤で自爪全体をコーティングすることから自爪の成長に影響されにくい着爪の付着が可能となり、浮きやすく折れやすいといった問題を防止することができる。【選択図】図２
2008272404.tif 000002
【特許請求の範囲】
【請求項１】
アクリル製の人口着爪を自爪の３分の２部分に被せて形を作り、残りの３分の１部分と更にアクリル製の人口着爪全体をウレタン製のジェル溶剤で覆い、形を整えた後に溶剤を固めるネイルアートの施術方法。
【発明の詳細な説明】
【技術分野】
【０００１】  本発明は、施術工程を簡素化し着爪の浮きや折れを防止する施工技術に関する。
【背景技術】
【０００２】  従来の着爪の施術工程は、自爪の先３分の１部分から第１段階（１ボール）の作成、自爪の先３分の２部分から第２段階（２ボール）の作成、自爪全体部分の第３段階（３ボール）の作成を経て行っている。
（例えば、図１，２参照）
【発明の開示】
【発明が解決しようとする課題】
【０００３】  以上に述べた従来の施術工程では、自爪の根元部分までアクリル製の人工着爪を付着させているため、自爪の成長と共に着爪が浮きやすく、折れやすかった。【０００４】  本発明は、このような従来の施術工程が有していた問題を解決しようとするものであり、自爪の成長に伴う着爪の浮きや折れる時期を効果的に延長するものである。
【問題を解決するための手段】
【０００５】  そして本発明は上記目的を達成するためにアクリル製の着爪の施術工程を第２段階まで行い、第３段階の部分で行うアクリル製の着爪の工程をウレタン製のジェル溶剤に変えることで自爪の成長に影響されにくい着爪の施術を可能にしている。
【図面の簡単な説明】
【０００６】
【図１】  従来の施術工程の第１段階から第３段階までの指の側面部分
【図２】  本発明の施術工程の第１段階から第３段階までの指の側面部分
【符号の説明】
【０００７】      １  アクリル製着爪第２工程
２  ウレタン製着爪工程
【図１】
2008272404.tif 000003
【図２】
2008272404.tif 000004
(57)【要約】【課題】粉薬または濃縮薬液を自動的に水と混合して飲みやすくすることのできる薬飲み具を提供する。【解決手段】  上面を開口した透明容器の開口部に、開閉自在の栓を設け、栓に吸入用ストローと逆Ｊ字形ストローを挿入する二つの貫通穴を設け、貫通穴の水出口に逆止弁を設け、貫通穴に吸入用ストローを上下可動自在挿入し、貫通穴に逆Ｊ字形ストローの挿入部を逆止弁のふちまで挿入したことを特徴とした薬飲み具。【選択図】図３
2008272422.tif 000002
【特許請求の範囲】
【請求項１】
上面を開口した透明容器の開口部に、開閉自在の栓を設け、栓に吸入用ストローと逆Ｊ字形ストローを挿入する二つの貫通穴を設け、貫通穴の水出口に逆止弁を設け、貫通穴に吸入用ストローを上下可動自在挿入し、貫通穴に逆Ｊ字形ストローの挿入部を逆止弁のふちまで挿入したことを特徴とした薬飲み具。
【発明の詳細な説明】
【技術分野】
【０００１】  本発明は、粉薬または濃縮薬液を水と混合して飲みやすくするための薬飲み具に関するものである。
【背景技術】
【０００２】  従来、粉薬または濃縮薬液の薬飲み具として、急須の中に薬液と水を入れて混合し飲ませる方式である急須タイプの薬飲み具があった。また、濃縮薬液専用の薬飲み具として、スポイトに薬液を吸入し病人の口にスポイトにより滴下させるスポイトタイプの薬飲み具があった。他に、子供や手の不自由な方にはスプーンを使って薬を飲ませていた。
【発明の開示】
【発明が解決しようとする課題】
【０００３】  そのために、次のような問題点があった。
（イ）急須タイプの薬飲み具では、容器の中に入れた薬液の混合水をすべて飲まなければならなかった。
（ロ）スポイトタイプの薬飲み具では、濃縮薬液のみの対象であるため粉薬には適さなかった。また、使用後のスポイト内部の洗浄をするのが大変であった。
（ハ）スプーンを使い粉薬または濃縮薬液をのむ場合、子供や手の不自由な方はこぼしてしまったりして大変わずらわしかった。
本発明は以上の問題点を解決するものである。
【課題を解決するための手段】
【０００４】  上面を開口した透明容器の開口部に、開閉自在の栓を設ける。栓に吸入用ストローと逆Ｊ字形ストローを挿入する二つの貫通穴を設け、貫通穴の水出口に逆止弁を設ける。貫通穴に吸入用ストローを上下可動自在挿入し、貫通穴に逆Ｊ字形ストローの挿入部を逆止弁のふちまで挿入する。以上を特徴とする薬飲み具である。
【発明の効果】
【０００５】  コップの水をストローで飲むだけの動作で、粉薬または濃縮薬液の混合水を飲むことができる。したがって子供や手の不自由な方がこぼしてしまったりしていたわずらわしさがなくなった。
透明容器を一見して薬の減り具合が確認できるので、薬が無くなっていればそれ以上水を飲まなくてもよい。
粉薬、濃縮薬液どちらでも使用可能である。
分解できるので、洗浄しやすいゆえ清潔に保てる。
【発明を実施するための最良の形態】
【０００６】（イ）上面を開口した透明容器（１）の開口部（２）に開閉自在の栓（３）を設ける。
（ロ）栓（３）に吸入用ストロー（４）と逆Ｊ字形ストロー（５）を挿入する貫通穴（１１ａ）（１１ｂ）を設ける。
（ハ）貫通穴（１１ｂ）の水出口（１２）に逆止弁（１０）を設ける。
（二）貫通穴（１１ａ）に吸入用ストロー（４）を上下可動自在挿入する。
（ホ）貫通穴（１１ｂ）に逆Ｊ字形ストロー（５）の挿入部（９）を逆止弁（１０）のふちまで挿入する。
本発明は以上のような構成で、これを使用するときは、透明容器（１）の開口部（２）の栓（３）をはずし、透明容器（１）の中に粉薬または濃縮薬液を入れ、栓（３）を透明容器（１）の開口部（２）に取り付ける。栓（３）の貫通穴（１１ａ）に吸入用ストローを挿入し、薬混合水吸引口（７）は、透明容器（１）の中の薬上面（１３）より上にくるように位置する。貫通穴（１１ｂ）に逆Ｊ字形ストロー（５）の挿入部（９）を逆止弁（１０）のふちまで挿入する。水（１４）の入ったコップ（１５）に、逆Ｊ字形ストロー（５）の水吸引口（８）を入れ、吸入用ストロー（４）の吸い口（６）を吸うことによりコップ（１５）の水（１４）は逆Ｊ字形ストロー（５）を通って吸い上がり、水出口（１２）の逆止弁（１０）を押し開きながら透明容器（１）の中で粉薬または濃縮薬液と混ざり薬混合水（１６）となり、薬混合水吸引口（７）のところまで水位が達すると、吸入用ストロー（４）を通って吸い口（６）のところで粉薬または濃縮薬液の薬混合水（１６）を飲むことができる。また、逆止弁（１０）は、薬混合水（１６）がコップ（１５）に逆流するのを防止ため、吸い口（６）を吸うのをやめたとき水出口（１２）を閉じた状態となる。
【図面の簡単な説明】
【０００７】
【図１】本発明の斜視図
【図２】本発明の分解斜視図
【図３】本発明の使用状態を示す断面図
【図４】本発明の使用状態を示す拡大した断面図
【符号の説明】
【０００８】    １  透明容器
２  開口部
３  栓
４  吸入用ストロー
５  逆Ｊ字形ストロー
６  吸い口
７  薬混合水吸引口
８  水吸引口
９  挿入部
１０  逆止弁
１１  貫通穴（ａ）（ｂ）
１２  水出口
１３  薬上面
１４  水
１５  コップ
１６  薬混合水
【図１】
2008272422.tif 000003
【図２】
2008272422.tif 000004
【図３】
2008272422.tif 000005
【図４】
2008272422.tif 000006
(57)【要約】      （修正有）【課題】従来は、美容鋏とレザーの形状は、鋏にレザーを取り付けたものであるが、これであると、形状の出っ張りで、毛髪を切るとき邪魔になり、手、指等を切る事があるので、毛髪を切る時も邪魔にならず、手、指等を切る心配の無い、鋏＆レザーを提供する。【解決手段】静刃又は、動刃そのものの峰２の部分に切り込み１を設ける構造にし、鋏とレザーを一体化することにより、技術者が毛髪を切る時、突起部分がなく仕事の邪魔にならないようにする。【選択図】図１
2008272423.tif 000002
【特許請求の範囲】
【請求項１】
理美容鋏の静刃又は動刃の峰の部分に切り込みを入れた鋏とレザーの一体化した鋏
【発明の詳細な説明】
【技術分野】
【０００１】この発明は、理容、美容に使用する鋏の形状に関する。
【背景技術】
【０００２】従来の理容、美容鋏とレザーの形状は、鋏にレザーを取り付けたものである。
【発明の開示】
【発明が解決しようとする課題】
【０００３】しかしながら、以上の技術によれば形状の出っ張りで、毛髪を切るとき邪魔になり、手、指等を切る事がある。
そこで、この発明は、毛髪を切る時も邪魔にならず、手、指等を切る心配の無い、鋏＆レザーを提供することを課題とする。
【課題を解決するための手段】
【０００４】以上の課題を解決するために、従来の鋏と同じ形状で、静刃又は動刃に切り込みを入れた特徴とする、鋏＆レザーである。
【発明の効果】
【０００５】発明により、毛髪を切る技術者が鋏を持ち替えることなく、毛量調節などをイメージどおりに技術者の感性を引き出す技術を発揮できる。
【発明を実施するための最良の形態】
【０００６】鋏＆レザーの本体は金属製であり、この本体の静刃又は動刃の峰の部分に切り込みをつけている。
【実施形態の効果】
【０００７】この実施形態により、切り込みを入れている部分がレザーの役目をして、技術者が毛髪を切る時、突起部分がなく仕事の邪魔にならない。
【他の実施形態】
【０００８】切り込みは峰部分の手元にあったが、刃先の方でもうけても良い。
【図面の簡単な説明】
【０００９】
【図１】この発明の一実施形態を示す斜視図である。
【図２】この発明の展開図２である。
【図３】この発明の展開図３である。
【図４】従来技術を示す斜視図である。
【符号の説明】
１  切込み    ２  峰    ３  刃    ４  レザー
【図１】
2008272423.tif 000003
【図２】
2008272423.tif 000004
【図３】
2008272423.tif 000005
【図４】
2008272423.tif 000006
(57)【要約】【課題】  紙巻器（トイレットペーパーホルダー）で、紙巻の紙をカットした際、残りの紙巻の端末が隠れて見えない。  このため、次に紙を使用する際に、紙を引出すのに手数を要し不愉快な思いをする。【解決手段】  紙巻の紙をカットするには、紙切板を手で押下げるので、この動きと連動する紙引出し板を、押バネの力を使って動かす紙引出し機により、紙巻の紙をカットした際、残った紙巻の端末が５センチメートル以上顔を出すようにした。【選択図】図２
2008272425.tif 000002
【特許請求の範囲】
【請求項１】
紙巻器（トイレットペーパーホルダー）（１）内の紙巻（３）の紙を、紙切板（２）を押下げてカットした際に、自動的に紙巻（３）を前方に回転させ、残りの紙巻（３）の先端の紙を紙切板の下方に、十分顔出しさせる紙引出し機（４）。
【発明の詳細な説明】
【発明の詳細な説明】
【技術分野】
【０００１】  この発明は、紙巻器（トイレットペーパーホルダー）に取付ける、紙引出し機に関するものである。
【背景技術】
【０００２】  従来の、紙巻器（トイレットペーパーホルダー）は、紙切板で紙巻の紙をカットすると、残りの紙の先端部が紙切り板の下方に隠れている。したがって次に紙を使用する際、紙の先端部を引出すのが容易でない。
【発明が解決しようとする課題】
【０００３】  本発明は、その欠点をなくすために、紙巻の紙をカットした際、残りの紙巻の先端部を充分顔出しする方法の研究をすすめた。
【課題を解決するための手段】
【０００４】  紙切板を手で押下げて紙巻の紙をカットするとき、同時に押バネを圧縮し、紙切板から手を離したときに、押バネの力を使って紙巻を回転させる方法が最上であることを発見した。
【発明を実施するための最良の形態】
【０００５】  本発明を実施するため、紙巻器（１）の紙切板（２）裏側中央の前方端部近くに、両面接着テープで紙引出し機（４）を取付ける。
（イ）紙をカットするため、紙切板（２）を手で押下げると、引出し板（５）が紙巻（３）に押されて後方に動く。
（ロ）紙のカットが終って紙切板（２）から手を離すと、押バネ（７）の力で紙切板（２）を押上げると共に引出し板（５）を前方に動かす。
（ハ）引出し板（５）が前方に動くとき、紙巻（３）は引出し板（５）の先端によって、前方に回転させられる。
（ニ）紙巻（３）が回転することにより、紙巻（３）の紙の先端部が紙切板（２）の下方から、５センチメートル以上顔を出す。
（ホ）ストッパー（８）は、引出し板（５）が必要以上に前方へ動かないようにするためのものである。
【発明の効果】
【０００６】（イ）紙巻器の紙切板の下部から常時紙巻の先端部が出ているので、使用時の手数が省ける。
（ロ）目・手・指などの不自由な身障者や高齢者に喜ばれる。
（ハ）現在、既に使用されている紙巻器にも容易に取付けて使用できる。
（ニ）極めて小形であり、紙巻器の体裁を害しない。
（ホ）ミシン目の入った紙巻を必要としない。
【図面の簡単な説明】
【図１】紙引出し機の使用図（正面）
【図２】紙引出し機の使用図（側断面イ−ロ）
【図３】紙引出し機の側面図
【図４】紙引出し板の正面図
【図５】紙引出し板の裏面図（図３のハ−ニ）
【符号の説明】
１  紙巻器
２  紙切板
３  紙巻
４  紙引出し機
５  引出し板
６  台板
７  押しバネ
８  ストッパー
９  連結ピン
１０  両面接着テープ
１１  押しバネ台座
【図１】
2008272425.tif 000003
【図２】
2008272425.tif 000004
【図３】
2008272425.tif 000005
【図４】
2008272425.tif 000006
【図５】
2008272425.tif 000007
(57)【要約】      （修正有）【課題】近年、鳥インフルエンザ等の危機が叫ばれている。学校や病院、さらに電車等多くの人が出入りするところや家庭や乗用車等、家族が同居する場などにおいて、インフルエンザウィルス等を積極的に殺菌し、その蔓延を防ぎ、集団感染に対して予防的に対応する仕組みづくりは、喫緊の課題であり、教室等の閉じた空間のインフルエンザウィルス等を効率的に殺菌する装置を提供する。【解決手段】扇風機２、エアコンディショナー、空気清浄機等、空気循環を基本機能として持つ装置に近年開発された「抗ウィルス材」を接着させた不織布（抗ウィルス不織布）をカバー１やフィルターとして、対象の空間のインフルエンザウィルス等を即効性・持続性をもって殺菌する装置。【選択図】図１
2008272424.tif 000002
【特許請求の範囲】
【請求項１】
教室、病室、一般家屋の一室、乗用車、旅客車両等、閉じた空間に複数の人が出入りする空間に設置し、インフルエンザウィルス等の空気感染を基本としたウィルス類を殺菌することを特徴とする「インフルエンザウィルス等殺菌装置」。
【請求項２】
前記殺菌装置は、学校の教室等に備え付けられている「扇風機」の前面や「エアコンディショナー」「空気清浄機」にインフルエンザウィルス等を殺菌する機能を持つカバーやフィルター（抗ウィルス不織布）を装着し、教室内等の空間の空気を循環する中でインフルエンザウィルス等を殺菌することを特徴とする請求項１記載の「インフルエンザウィルス等殺菌装置」。
【発明の詳細な説明】
【技術分野】
【０００１】  この発明は、近年開発された「抗ウィルス不織布」と一般的に使用されている「扇風機」「エアコンディショナー」「空気清浄機」等の空気循環機能を組み合わせてインフルエンザ等のウィルス類を殺菌する即効性・持続性のある装置に関する。
【背景技術】
【０００２】  「扇風機」「エアコンディショナー」「空気清浄機」等は、モーターを駆動力としてファンを回転させ、同一空間内の空気循環機能を有している。
「抗ウィルス不織布」の開発は、▲１▼大和紡績株式会社が、平成１７年１２月２１日に報道発表した「抗ウィルス材」（天然鉱物「ドロマイト」を加工）を不織布に接着させた「抗ウィルス不織布」や▲２▼日清紡績株式会社が開発した「ゼオライト」に導入した銅イオンをコットン内部で結晶させたものがある。
【発明の開示】
【発明が解決しようとする課題】
【０００３】  近年、鳥インフルエンザ等の危機が叫ばれている。しかし、全国の学校では、インフルエンザ等の集団感染への対応が一向に進まず、学級閉鎖等、事後処理的な対応に頼らざるを得ない状況にある。学校や病院、さらに電車等多くの人が出入りするところや家庭や乗用車等、家族が同居する場などにおいて、インフルエンザウィルス等を積極的に殺菌し、その蔓延を防ぎ、集団感染に対して予防的に対応する仕組みづくりは、喫緊の課題である。
そこで、この発明は、扇風機、エアコンディショナー、空気清浄機等、空気循環を基本機能として持つ装置に近年開発された「抗ウィルス材」を接着させた不織布（抗ウィルス不織布）をカバーやフィルター等として組み合わせ、教室等の閉じた空間のインフルエンザウィルス等を効率的に殺菌する装置を提供することを課題とする。
【課題を解決するための手段】
【０００４】  以上の課題を解決するために、第一発明は「扇風機」のファンの前面に「抗ウィルス不織布」を素材とするカバーを掛け、２つの機能を組み合わせたことである。
また、第二発明は、「エアコンディショナー」に「抗ウィルス不織布」を素材とするフィルターを装着し、従来の「エアコンディショナー」機能に抗ウィルス機能を組み合わせたことである。
また、第三発明は、「空気清浄機」に「抗ウィルス不織布」を素材とするフィルターを装着し、従来の「空気清浄機」機能に抗ウィルス機能を組み合わせたことである。
【発明の効果】
【０００５】  第一発明、第二発明、第三発明によれば、「扇風機」「エアコンディショナー」「空気清浄機」に「抗ウィルス不織布」を素材とするフィルターを装着することにより、対象とする室内（空間）のインフルエンザウィルス等を即効性・持続性をもって殺菌することを可能にする。
【発明を実施するための最良の形態】
【０００６】  第一発明の一実施形態を図１に示す。
「扇風機」のファンの周りには、危険防止のために金属等の安全カバーが取り付けられている。その安全カバーに「抗ウィルス不織布」を材料とする通気性のあるカバーをかける。
第二発明、第三発明については、▲１▼エアコンディショナー並びに空気清浄機の本体に備え付けられているフィルターに「抗ウィルス不織布」を素材としたフィルターを組み合わせることや▲２▼従来のフィルターに「抗ウィルス材」を接着させることによって抗ウィルス効果を実現する。【０００７】「実施形態の効果」
この実施形態によれば、従前の「扇風機」「エアコンディショナー」「空気清浄機」の形態と機能をそのまま生かし、それに「抗ウィルス」のカバーやフィルターを装着するだけで、本発明が解決しようとする課題を解決することができる。すなわち、既存のものの組み合わせで、国民的、世界的な喫緊の課題を解決できる。また、仕組みが簡易であるが故に低廉で全国展開が容易で、弱者である子供や病人をはじめ健常な人まで広く人類の安全を守ることに寄与する。【０００８】「他の実施形態」
第二発明、第三発明では、フィルターそのものに「抗ウィルスフィルター」機能をもたせる設計になっているが、他の実施形態では、既設の「エアコンディショナー」「空気清浄機」の空気吹き出し口に第一発明の「扇風機」用に開発した抗ウィルス素材のカバーを取り付けたものでもよい（図２，図３）。
【図面の簡単な説明】
【０００９】
【図１】第一発明の一実施形態を示す斜視図である。〔符号の説明〕
【００１０】  １  抗ウィルス素材のカバー
２  扇風機本体
【図２】第二発明の他の実施形態を示す斜視図である。
【００１１】  １  抗ウィルス素材のカバー
２  エアコンディショナー本体
【図３】第三発明の他の実施形態を示す斜視図である。
【００１２】  １  抗ウィルス素材のカバー
２  空気清浄機本体
【図１】
2008272424.tif 000003
【図２】
2008272424.tif 000004
【図３】
2008272424.tif 000005
(57)【要約】【課題】従来の重量のあるコンピュータラック設置時に耐震対策を取る場合が多いが耐震対策を十分になされていない重量のあるラックでは阪神淡路大震災のような大型地震では耐えきれず、耐震固定から外れて転倒することがあった。【解決手段】従来の耐震工法だけで補えない地震の力によるラック転倒をラックと天井部とをワイヤー等で繋ぐことで転倒防止を図ることができる。【選択図】図１
2008272390.tif 000002
【特許請求の範囲】
【請求項１】
コンピュータ用ラックの転倒防止を図る転倒防止用具。
【発明の詳細な説明】
【技術分野】
【０００１】本発明は地震に起因するコンピュータラックの転倒防止を抑制する道具に関する。
【背景技術】
【０００２】従来の重量のあるコンピュータラックへの転倒防止はラックを設置する建物床の強度を増したうえで、床下コンクリート基礎にアンカーなど打ち、ワイヤー等を張ってラックをボルト固定する耐震工法手段がある。
【発明の開示】
【発明が解決しようとする課題】
【０００３】耐震対策を十分になされていない重量のあるラックは阪神淡路大震災のような大型地震時には固定から外れ転倒することがあった。【０００４】本発明は従来の耐震工法だけで補えない地震の力によるラック転倒をラックと天井部とをワイヤー等で繋ぐことで転倒防止を図るものである。
【課題を解決するための手段】
【０００５】本発明は、ラック上部の骨組みにあたるフレームにフックを付け、ラック上部に位置する建物基礎構造の天井にフックを付けてワイヤーでフック同士繋ぎ接続することでラックの転倒を防止する効果を発揮する。
【発明の効果】
【０００６】上述のように天井とラック上部をワイヤーで接続することでラックの転倒防止が可能となる。
【発明を実施するための最良の形態】
【０００７】以下、本発明の実施の形態を図１に基き説明する。【０００８】図において、１は転倒防止するためのコンピュータラックである。
本体重量が空で１００Ｋｇ程度あり、コンピュータを搭載すると、重量が１トン近くにも及ぶ場合があるので、床面の補強工事などなされていることが多い。【０００９】２は建物の天井にあたる鉄骨又はコンクリートである。【００１０】３ａ、３ｂ、３ｃ、３ｄはラック上部の骨組みにあたるフレームに取りつけた金属製のフックである。ワイヤーが通るように穴がある。【００１１】４ａ、４ｂ、４ｃ、４ｄはフックに通すワイヤーである。
ワイヤーの取り付けは、たるんだ状態で取りつける。
ワイヤーをぴんと張っては取り付けない。
地震では天井と床の動く大きさ、向きがが違う場合があるのでラックに無理な負担がかからない様に弛めて取りつける。【００１２】５は天井の鉄骨，又はコンクリートなどに取りつけた金属製のフックである。  中心に穴が１つ空いている。【００１３】以下地震発生した場合の動作を説明する。
耐震対策を十分になされていないラック１は地震時に大きな揺れに襲われ前後左右に振られる。
転倒限界を超える力を受けたラックは固定から外れて転倒動作に入る。
天井のフックとラックのフックで接続されたワイヤーが張り、その反作用でラックの転倒が免れることができる。
【図面の簡単な説明】
【００１４】
【図１】本発明の実施形態を示す全体の配置図
【符号の説明】
【００１５】１                      コンピュータラック
２                      天井の鉄骨又はコンクリートなど
３ａ、３ｂ、３ｃ、３ｄ  ラックフック
４ａ、４ｂ、４ｃ、４ｄ  ワイヤー
５                      天井フック
【図１】
2008272390.tif 000003